(57)【要約】【課題】吸収性物品の股間部領域を幅狭化することにより、着用感を損なわれることなく、股間部分の吸収性能を向上させ、また「よれ」や「ねじれ」が生じ難い吸収性物品を提供する。【解決手段】液透過性のトップシートと、該トップシートに接合されている液不透過性のバックシートと、前記トップシートと前記バックシートとの間に内包されている吸収体と、からなる吸収性物品において、前記吸収体は、溝を挟んで並列している複数本の帯状吸収体の集合体からなる２つの並行帯状吸収体群からなり、第一の並行帯状吸収体群と第二の並行帯状吸収体群とは、これらの並行帯状吸収体がそれぞれ形成する面どうしが接合される形態で、対面するように接合されて接合体が形成されており、該接合体は、前記溝どうしが重なり合わないように配置されている互い違い部分を備え、前記互い違い部分には、前記接合体と前記バックシートとの間において、前記並行する帯状吸収体とほぼ直交する方向に伸張状態で伸縮性部材が配置されている。【選択図】  図１
2004159820.tif 000002
【特許請求の範囲】
【請求項１】
液透過性のトップシートと、該トップシートに接合されている液不透過性のバックシートと、前記トップシートと前記バックシートとの間に内包されている吸収体と、からなる吸収性物品において、
前記吸収体は、溝を挟んで並列している複数本の帯状吸収体の集合体からなる２つの並行帯状吸収体群からなり、
前記２つの並行帯状吸収体群において、前記トップシート側に位置する第一の並行帯状吸収体群と前記バックシート側に位置する第二の並行帯状吸収体群とは、これらの並行する帯状吸収体がそれぞれ形成する面どうしが接合される形態で、対面するように接合されて接合体が形成されており、該接合体は、前記溝どうしが重なり合わないように配置されている互い違い部分を備え、
前記互い違い部分は、前記接合体と前記バックシートとの間において、前記並行する帯状吸収体とほぼ直交する方向に付勢力を付与する状態で配置されている伸縮性部材を備えることを特徴とする吸収性物品。
【請求項２】
前記第一の並行帯状吸収体群もしくは前記第二の並行帯状吸収体群は、一層の連続的な吸収体からスリット状の開口が切り抜かれて形成されたものであることを特徴とする請求項１に記載の吸収性物品。
【請求項３】
前記第一の並行帯状吸収体群もしくは前記第二の並行帯状吸収体群は、幅狭の複数本の帯状吸収体が所定間隔をあけて配列されて形成されたものであることを特徴とする請求項１に記載の吸収性物品。
【請求項４】
前記第一の並行帯状吸収体群および前記第二の並行帯状吸収体群は、中間液透過性シートを介して接合されているものであることを特徴とする請求項１から３いずれか記載の吸収性物品。
【請求項５】
前記伸縮性部材は、吸収体の長手方向のほぼ中央部に配設され、その一部分が前記第二の並行帯状吸収体群の前記溝部分で前記中間液透過性シートの裏面に接合されているものであることを特徴とする請求項４に記載の吸収性物品。
【請求項６】
前記伸縮性部材は、吸収体の長手方向のほぼ中央部に配設され、その一部分が前記第二の並行帯状吸収体群の前記溝部分で前記第一の並行帯状吸収体群の前記帯状吸収体の裏面に接合されているものであることを特徴とする請求項１から３いずれか記載の吸収性物品。
【請求項７】
前記伸縮性部材を備える前記互い違い部分は、前記吸収性物品の着用時に股間部に位置する部分に配置されていることを特徴とする請求項１から６いずれか記載の吸収性物品。
【請求項８】
前記伸縮性部材は、前記バックシートと一体化されているものであることを特徴とする請求項１、５、６いずれか記載の吸収性物品。
【請求項９】
前記吸収性物品の幅方向の両側縁には、該側縁に沿って立体状の防漏ギャザーを備えることを特徴とする請求項１から８いずれか記載の吸収性物品。
【請求項１０】
前記吸収性物品は、使い捨ておむつであることを特徴とする請求項１から９いずれか記載の吸収性物品。
【発明の詳細な説明】
【０００１】
【発明の属する技術分野】
本発明は、人・ペット動物などに着用する使い捨ておむつ等の吸収性物品に関する。
【０００２】
【従来の技術】
従来より人体または愛玩動物の股間に装着する吸収性物品が種々提案されており、その形状は一般に身体前面から背面に至る方向を長手方向とする長方形型或いは砂時計型をしている。
【０００３】
該吸収性物品は、液透過性のトップシートと液不透過性のバックシートの間に吸収体を挟んだ積層構造となっており、上記吸収体で体液等を吸収・保持しつつ、上記バックシートにより吸収性物品外に漏れ出ることを防止している。
【０００４】
しかし体液等が排出される股間部分に最も高い吸収能が求められるにもかかわらず、吸収性物品の着用感を良好にする為には、上記股間部分の幅を狭くしなければならず、よって吸収性能が低くなってしまう。また、着用者の動きによって股間部分の装着幅が変化し、この為に吸収性物品に「よれ」や「ねじれ」等を生じ、よって吸収性物品を適正にフィットさせて装着することが困難となり、その結果、吸収性物品の持つ吸収能を十分に発揮させ得ないという問題があった。これらの問題を解消したものとして、特許文献１には、製品長手方向の中央部または長手方向全体に亘ってトップシートと吸収体が長手方向と直交する方向の断面視において波形となっており、波形吸収体の下面にバックシートを積層してなる構成とし、着用者の動きに沿って上記波形の波長が変化するようにして伸縮させることにより、「よれ」「ねじれ」が生じ難く、着用感が良好で違和感がない吸収性物品が開示されている。
【０００５】
【特許文献１】
特開２０００−３５４６０１号公報
【０００６】
【発明が解決しようとする課題】
しかしながら、上記の吸収性物品は、トップシートに積層された吸収体を回転ドラムによるプレス賦型して前もって波形に成形し、しかる後バックシートを積層することで蛇腹状に伸縮できるようにするという構造となっていたため、プレス賦型で吸収体を波形賦型するためにどうしても硬くなり易く、また、波形の蛇腹が折り畳まれるようにして吸収性物品の幅が縮むと圧縮が更にすすんで硬さが増大し、かえって着用感が損なわれてしまう。また、吸収体が賦型によって硬くなることは、吸収体が高密度になることと同義であり高密度化は吸収速度を低下させるおそれもあるといった問題があった。
【０００７】
本発明は、このような従来の技術に存在する問題点に着目してなされたものである。その目的とするところは、かかる状況に鑑み、吸収性物品の股間部領域を幅狭化して、着用感を損なわれることなく、股間部分の吸収性能を向上させ、また「よれ」や「ねじれ」が生じ難い吸収性物品を提供するものである。
【０００８】
【課題を解決するための手段】
以上のような課題を解決するために、本発明者は、長手方向に複数本の溝を有する２つの吸収体を、各々の吸収体の溝が重ならないように配置し、また、吸収体とバックシートとの間には、吸収体の長手方向のほぼ中央部分に、溝の延伸方向とほぼ直交する方向に伸縮性を有する伸縮性部材を伸長状態で配置することにより、吸収体の中央部分（股間部領域）に波形の蛇腹形状が発現することを見出して本発明を完成させた。
【０００９】
より具体的には、本発明においては以下のようなものを提供する。
【００１０】
（１）  液透過性のトップシートと、該トップシートに接合されている液不透過性のバックシートと、前記トップシートと前記バックシートとの間に内包されている吸収体と、からなる吸収性物品において、前記吸収体は、溝を挟んで並列している複数本の帯状吸収体の集合体からなる２つの並行帯状吸収体群からなり、前記２つの並行帯状吸収体群において、前記トップシート側に位置する第一の並行帯状吸収体群と前記バックシート側に位置する第二の並行帯状吸収体群とは、これらの並行する帯状吸収体がそれぞれ形成する面どうしが接合される形態で、対面するように接合されて接合体が形成されており、該接合体は前記溝どうしが重なり合わないように配置されている互い違い部分を備え、前記互い違い部分は、前記接合体と前記バックシートとの間に位置し、前記並行する帯状吸収体とほぼ直交する方向に付勢力を付与する状態で配置される伸縮性部材を備えることを特徴とする吸収性物品を提供する。
【００１１】
本発明によれば、吸収体は、溝を挟んで並列している複数本の帯状吸収体の集合体からなる２つの並行帯状吸収体群からなり、これら並行帯状吸収体群の、第一の並行帯状吸収体群と第二の並行帯状吸収体群とは、並行する夫々の帯状吸収体が形成する面どうしが接合される形態で、対面するように接合されて接合体が形成されており、この接合体は溝どうしが重なり合わないように配置されている互い違い部分を備えており、更にこの互い違い部分は、接合体とバックシートとの間に位置し、並行する帯状吸収体とほぼ直交する方向に付勢力を付与する状態で伸縮性部材が配置されているので、伸縮性部材が収縮して吸収性物品の幅が狭くなり着用感が良好となる。
【００１２】
また、第一の並行帯状吸収体群と第二の並行帯状吸収体群とは、溝どうしが重なり合わないように配置・一体化されて互い違い部分が形成されているので、伸縮性部材が収縮すると、第一の並行帯状吸収体群と第二の並行帯状吸収体群の夫々の帯状吸収体は、波状の蛇腹形状に形成されて立体化され、吸収体が高目付化・幅狭化される。従って、伸縮性部材を股間部領域に配置することにより、最も吸収が必要とされる股間部において単位面積あたりの吸収キャパシティを大きくすることができることになる。
【００１３】
また、股間部領域の幅狭化によって、着用時に違和感を少なくでき、幅方向の伸縮性が股間の開閉動作や前後動作などへの追従性を高め、フィット性を向上することになる。また、第一の並行帯状吸収体群の溝は、吸収性物品の長手方向（溝が伸延する方向）および第二の並行帯状吸収体群の帯状吸収体に体液等を導く通路となるので、吸収体の吸収効率が高められる。このため、大量の体液等が高速で排泄された場合に、第一の並行帯状吸収体群の帯状吸収体による吸収と同時に、第二の並行帯状吸収体群の帯状吸収体にも導かれると共に、吸収性物品の長手方向にも拡散されるので、体液等のモレが一層防止されることになる。
【００１４】
尚、この波状の蛇腹形状による立体化は、伸長状態で配置された伸縮性部材が収縮するに伴って個々の帯状吸収体が対面する溝部分を頂部として折れ曲がることによって行われるので、プレス賦型による場合のような吸収体が硬くなることがない。さらに、波形の蛇腹が折り畳まれるようにして吸収性物品の幅が縮んでも、それぞれの並行帯状吸収体群の溝で収縮による圧縮が吸収され吸収体自体が硬くならないので、着用感が損なわれない。
【００１５】
ここで、溝とは、並行帯状吸収体群において、各帯状吸収体間に形成されているもので、貫通する開口も含む。
【００１６】
（２）  前記第一の並行帯状吸収体群もしくは前記第二の並行帯状吸収体群は、一層の連続的な吸収体からスリット状の開口が切り抜かれて形成されたものであることを特徴とする（１）に記載の吸収性物品を提供する。
【００１７】
本発明によれば、第一の並行帯状吸収体群もしくは第二の並行帯状吸収体群は、一層の連続的な一枚状の吸収体からスリット状の開口が切り抜かれて形成されているので、伸縮性部材が収縮して、吸収体の幅方向が幅狭化された際に切り抜かれた開口部で波型に変形し、更に波型に変形した後も、曲げによる歪を吸収するので硬くならない。
【００１８】
また、開口部の形成は一枚状の吸収体に対してスリット状の開口部を切り抜くことで可能であるので、加工が容易である。
【００１９】
（３）  前記第一の並行帯状吸収体群もしくは前記第二の並行帯状吸収体群は、幅狭の複数本の帯状吸収体が所定間隔をあけて配列されて形成されたものであることを特徴とする（１）に記載の吸収性物品を提供する。
【００２０】
本発明によれば、第一の並行帯状吸収体群もしくは第二の並行帯状吸収体群は、幅狭の複数本の帯状吸収体を所定間隔あけて配列されて形成されているので、各々の帯状吸収体は所定間隔の開口部を有することになるため、伸縮部材が収縮して、吸収体の幅方向が幅狭化されるとこの開口部分で波型に変形し、更に波型に変形した後も、曲げによる歪をこの開口部分が吸収するので硬くならない。また、第一の並行帯状吸収体群に形成された開口部は、体液透過効果を高め、大量の体液等が高速で排泄された場合でも、体液等を第二の並行帯状吸収体群の帯状吸収体に導き、吸収体の吸収効率を高める。更に、吸収体の長手方向に体液を拡散させる通路にもなるので、より一層吸収体の吸収効率が高まる。
【００２１】
（４）  前記第一の並行帯状吸収体群および前記第二の並行帯状吸収体群は、中間液透過性シートを介して接合されているものであることを特徴とする（１）から（３）いずれか記載の吸収性物品を提供する。
【００２２】
本発明によれば、第一の並行帯状吸収体群および第二の並行帯状吸収体群は、中間液透過性シートを介して接合されているので、中間液透過性シートが吸収体の支持体として作用するために、吸収体に柔軟性と形態安定性が付与される。また、伸縮性部材の部分的な接合は中間液透過性シート面で行われるので、接合強度が向上する。尚、この中間液透過性シートは液透過性なので、体液等がこのシートで遮断されて移行が妨げられることはない。
【００２３】
（５）  前記伸縮性部材は、吸収体の長手方向のほぼ中央部に配設され、その一部分が前記第二の並行帯状吸収体群の前記溝部分で前記中間液透過性シートの裏面に接合されているものであることを特徴とする（４）に記載の吸収性物品を提供する。
【００２４】
本発明によれば、吸収体の長手方向のほぼ中央部に配設され、その一部分が前記第二の並行帯状吸収体群の前記溝部分で前記中間液透過性シートの裏面に接合されているので、伸縮性部材と第一の帯状吸収体群とは高い接合強度が得られると共に、伸縮部材が収縮して吸収性物品の股間部分が波形の蛇腹形状に変形して幅が狭くなり着用感が良好となる。また、伸縮性部材の収縮により、伸縮性部材が部分的に接合された第一の並行帯状吸収体群の帯状吸収体の裏面側が引張られて帯状吸収体がほぼＶ字状に折れ曲がる。また、第二の並行帯状吸収体群の帯状吸収体もほぼＶ字状に折れ曲がり、波形の蛇腹形状が発現される。このため、着用した際に股間部分に相当する吸収性物品の長手方向のほぼ中央部は吸収体の密度を低減することなく幅が狭くなるので、体液等の吸収能を落すことなく着用感が良好なものとなる。加えて、吸収体は溝をはさんで並列している複数本の帯状吸収体の集合体であるので、着用者の動きによって股間部分の装着幅が変化しても、ほぼＶ字状に形成された個々の帯状吸収体で伸縮が調整されるので、吸収性物品に「よれ」や「ねじれ」等が生じず、適正にフィットさせて装着した状態を維持できるため、吸収性物品の持つ吸収能を十分に発揮させ得ることができる。
【００２５】
（６）  前記伸縮性部材は、吸収体の長手方向のほぼ中央部に配設され、その一部分が前記第二の並行帯状吸収体群の前記溝部分で前記第一の並行帯状吸収体群の前記帯状吸収体の裏面に接合されているものであることを特徴とする（１）から（３）いずれか記載の吸収性物品を提供する。
【００２６】
本発明によれば、伸縮性部材は、吸収体の長手方向のほぼ中央部に配設され、その一部分が第二の並行帯状吸収体群の前記溝部分で第一の並行帯状吸収体群の前記帯状吸収体の裏面に接合されているので、伸縮性部材が収縮して吸収性物品の股間部分が波形の蛇腹形状に変形して幅が狭くなり着用感が良好となる。また、伸縮性部材の収縮により、上記と同様の作用で体液等の吸収能を落すことなく着用感が良好なものとなる。さらに、吸収性物品に「よれ」や「ねじれ」等が生じず、適正にフィットさせて装着した状態を維持できる。
【００２７】
（７）  前記伸縮性部材を備える前記互い違い部分は、前記吸収性物品の着用時に股間部に位置する部分に配置されていることを特徴とする（１）から（６）いずれか記載の吸収性物品を提供する。
【００２８】
本発明によれば、伸縮性部材を備える前記互い違い部分は、吸収性物品の着用時に股間部に位置する部分に配置されているので、伸縮性部材が収縮した場合に、前述のように、第一の並行帯状吸収体群および第二の並行帯状吸収体群の帯状吸収体が折れ曲がる際に、帯状吸収体群は互い違いにほぼＶ字状に折れ曲がることになり、波形の蛇腹形状が発現される。このため、着用した際に股間部分に相当する吸収性物品の長手方向のほぼ中央部は吸収体の密度を低減することなく幅が狭くなるので、体液等の吸収能を落すことなく着用感が良好なものとなる。
【００２９】
（８）  前記伸縮性部材は、前記バックシートと一体化されているものであることを特徴とする（１）、（５）、（６）いずれか記載の吸収性物品を提供する。
【００３０】
本発明によれば、伸縮性部材は、バックシートと一体化されているので、バックシート自体が伸縮性を有するため、バックシートを吸収性物品の幅方向（帯状吸収体の延伸する方向にほぼ直交する方向）に伸長した状態で第二の並行帯状吸収体群の溝部分で接合して吸収体と一体化することで、バックシートの収縮によって同様な波形形状が発現される。尚、伸縮性を有するバックシートとしては、ポリオレフィン、ポリウレタン、スチレン系エラストマー共重合体等といったゴム弾性を有する樹脂を主成分とする伸縮性フィルム等が挙げられる。
【００３１】
（９）  前記吸収性物品の幅方向の両側縁には、該側縁に沿って立体状の防漏ギャザーを備えることを特徴とする（１）から（８）いずれか記載の吸収性物品を提供する。
【００３２】
本発明によれば、吸収性物品の幅方向の両側縁には、吸収性物品の長手方向に沿って立体状の防漏ギャザーが備えているので、体液等の体液が吸収性物品の幅方向に広がるのを防止でき、体液等の排泄物のモレをより一層防ぐことができる。
【００３３】
（１０）  前記吸収性物品は、使い捨ておむつであることを特徴とする（１）から（９）いずれか記載の吸収性物品を提供する。
【００３４】
本発明の吸収性物品は、股間部領域の吸収体を波形にして幅狭化することにより、着用感を損ねないで、体液等の吸収性能を向上させ、また、着用中における「よれ」「ねじれ」の発生を抑える効果を奏するので、使い捨ておむつに好適である。尚、吸収体全体を波形にして失禁用パッドや生理用ナプキン等としても適用できる。
【００３５】
【発明を実施するための形態】
以下本発明の実施形態について、図を参照しつつ説明するが、本発明はこれに限定されるものでない。
【００３６】
図１は本発明に係る吸収性物品の実施形態の構成説明図であり、図１（ａ）は本実施形態の表側を広げたときの状態を示す平面図で、図１（ｂ）は図１（ａ）におけるＡ−Ａ’線の断面を示す断面図である。これらの図において、１００は本発明の実施形態の吸収性物品であり、液透過性のトップシート１０１と、トップシート１０１に接合されている液不透過性のバックシート１０２と、これらシートとの間に内包されている吸収体１０３と、吸収体１０３とバックシート１０２の間において、股間部領域ｂに複数本の伸縮性部材１０６が伸長した状態で、溝１０５ａ，１０５ｂが伸延する方向にほぼ直交する方向（吸収性物品１００の幅方向、図面の中心線Ｌ−Ｌ’方向と直交する方向）に複数本配置されている。また、図示していないが、通常のおむつ等の吸収性物品と同じく、股間部領域ｂの両側縁には、この側縁に沿って、着用した際に着用者の脚部にフィットするように伸縮性部材が伸長状態で配置されている。同じく図示していないが、吸収性物品１００の幅方向（図面の中心線Ｌ−Ｌ’方向に直交する方向）の両側縁で、トップシート１０１面には立体防漏ギャザーと、この立体防漏ギャザーの側縁には長手方向（図面の中心線Ｌ−Ｌ’方向）に沿って配置され立体ギャザーに伸縮性を付与する伸縮性部材とが配置されている。更に、第１の腰領域ａ（腹側）および第２の腰領域ｃ（背側）の外縁側端縁部には、吸収性物品１００の幅方向（図面の中心線Ｌ−Ｌ’方向に直交する方向）に沿って、腰領域に伸縮性を付与する伸縮性部材が配置されている。
【００３７】
吸収体１０３は溝１０５ａを挟んで並行している複数本の帯状吸収体１０４ａからなる第一の並行帯状吸収体群１０３ａと、溝１０５ｂを挟んで並行している複数本の帯状吸収体１０４ｂからなる第二の並行帯状吸収体群１０３ｂとが中間液透過性シート１０７を介して接合・一体化されて、接合体（吸収体）１０３が形成されている。この接合は、第一の並行帯状吸収体群１０３ａと第二の並行帯状吸収体群１０３ｂとが、図１（ｂ）に示すように、第一の並行帯状吸収体群１０３ａの溝１０５ａと第二の並行帯状吸収体群１０３ｂの溝１０５ｂとが互いに重なり合わないようにして配置され、第一の並行帯状吸収体群１０３ａの帯状吸収体１０４ａと第二の並行帯状吸収体群１０３ｂの帯状吸収体１０４ｂとが互い違い部分（図１（ｂ）のｄ部分）を形成するようにして接合されている。
【００３８】
また、第一の並行帯状吸収体群１０３ａおよび第二の並行帯状吸収体群１０３ｂは一枚状の吸収体にスリット状の開口を所定間隔で切り抜くことによって形成され、このスリット状の開口が第一の並行帯状吸収体群１０３ａおよび第二の並行帯状吸収体群１０３ｂの溝１０５ａ，１０５ｂを構成している。尚、第一の並行帯状吸収体群１０３ａおよび第二の並行帯状吸収体群１０３ｂは、上記のものに限定されず、例えば短冊状の帯状吸収体を複数本所定間隔に配置して形成されたものであってもよい。
【００３９】
伸縮性部材１０６は、吸収体１０３を構成する第二の並行帯状吸収体群１０３ｂとバックシート１０２との間に伸長された状態で配置され、第二の並行帯状吸収体群１０３ｂのそれぞれの溝１０５ｂの部分において、中間液透過性シート１０７に接合されている。
【００４０】
伸縮性部材１０６は上記のように伸長した状態で、吸収体に接合されているので、収縮すると図２に示すように吸収体が波形の蛇腹形状に変形して幅狭化される。図２は、図１のＡ−Ａ´断面において、吸収体と伸縮性部材の相互作用によって本発明の主眼である股間部の波形形状が発現するメカニズムを図示したもので、上段の断面図は、図１に図示された吸収性物品の伸展状態における断面図であり、下段の断面図は、伸縮性部材の収縮によって波形形状が発現した状態における断面図である。
【００４１】
図２の上段の断面図に示すように、伸縮性部材１０６は、第二の並行帯状吸収体群１０３ｂの溝１０５ｂ部分で、接合部Ｘにおいて伸長状態で一体的に接合されている。この時、接合部Ｘ−Ｘ間においては、少なくとも第二の並行帯状吸収体群１０３ｂを構成するそれぞれの帯状吸収体１０４ｂと伸縮性部材１０６は実質的に一体化されていないことが望ましい。これによって、伸縮性部材１０６が吸収体１０３の剛性に邪魔されること無く効率的に伸長状態から収縮状態へと収縮し、股間部領域ｂに図２の下段の断面図に示すように実質的な波形が形成される。
【００４２】
この波形は、伸縮性部材１０６が収縮方向で最短距離に位置しようとし、逆に吸収体１０３の第一の並行帯状吸収体群１０３ａを構成する夫々の帯状吸収体１０４ａは、接合部Ｘで伸縮性部材１０６と接合された部分、すなわち第二の並行帯状吸収体群１０３ｂの夫々の溝１０５ｂを底面とするほぼＶ字状に変形し、また、接合部Ｘ−Ｘ間では、第二の並行帯状吸収体群１０３ｂを構成する夫々の帯状吸収体１０４ｂは、第一の並行帯状吸収体群１０３ａの夫々の溝１０５ａを上面とするほぼ逆Ｖ字状に変形して波形形状を形成する。
【００４３】
このようにして形成された波形形状は、溝１０５ａ，１０５ｂをヒンジとして形成されているので、吸収体に圧縮され硬くなった部分がほとんどない。このため、着用感に優れると共に、股間部領域ｂが幅狭化してフィット性が向上され、しかも股間部の開閉動作に対して弾力的な追従性が付与される。また、股間部の前後動作による吸収体の変形（歪み）に対する復元力が付与され追従性に優れる。このため、吸収性物品を着用していても「よれ」「ねじれ」が生じ難い。また、股間部領域ｂの高目付化により吸収体１０３の表面積が増大し、股間部領域ｂにおける吸収体１０３の吸収力が向上する。更に、波形の蛇腹形状は吸収体１０３の長手方向（図１の中心線Ｌ−Ｌ’方向）に体液を拡散させるチャネルとなるので、体液が吸収体の長手方向に容易に拡散されることになり、吸収体の利用効率が向上することになる。
【００４４】
次に、本発明の吸収性物品を着用した状態における吸収体の形態について説明する。
【００４５】
図３は、着用状態における吸収体の形状を模式的に示した図であり、図３（ａ）は表側を広げたときの状態を示す平面図である。また、図３（ｂ）は図３（ａ）におけるＡ−Ａ’線、Ｂ−Ｂ’線、Ｃ−Ｃ’線の断面を示す断面図である。図３において、Ａ−Ａ’線は股間部領域ｂ、Ｂ−Ｂ’線は第１の腰領域ａ（腹側）、Ｃ−Ｃ’線は第２の腰領域ｃ（背側）に相当する部分の断面線あり、それぞれの部分における吸収体の断面形状を模式的に示している。
【００４６】
Ａ−Ａ’線の断面図においては、伸縮性部材１０６が収縮して吸収体１０３が波形形状を発現している。波形によって吸収体は立体化され、これによって高目付化＆幅狭化が付与される。高目付化によって、最も吸収が必要とされる股間部領域ｂにおいて単位面積あたりの吸収キャパシティを大きくすることができる。また、波形の蛇腹形状による幅狭化によって、着用時に違和感を少なくでき、幅方向の伸縮性が股間部の開閉動作や前後動作などへの追従性を高め、動的なフィット性が向上される。更に、着用中に「よれ」「ねじれ」が生じ難い。
【００４７】
一方、Ｂ−Ｂ’，Ｃ−Ｃ’線の断面図においては、伸縮性部材１０６がないため、幅方向（図面の中心線Ｌ−Ｌ’方向に直交する方向）に収縮することがなく吸収体は薄いままであり、腰周りが部分的に嵩張ることがなく、着用性に優れる。
【００４８】
このように、溝１０５ａ，１０５ｂが身体の曲面形状への追従を助けるので、伸縮性部材１０６と溝１０５ａ，１０５ｂの形状や組合せによって、所望とするフィット性のコントロールが可能となる。
【００４９】
次に本実施形態の吸収性物品を構成する素材について説明する。
【００５０】
上記トップシート１０１は、液親水性であり、肌に刺激を与えない材料が使用される。このようなものとしては、メルトブローン、スパンボンド、スルーエアー、ポイントボンド、ニードルパンチ、湿式スパンレース等の製造方法から得られる不織布を単独又はこれらを複合した材料が挙げられる。また、繊維状シートとしては、レーヨン、アセテート、コットン、パルプ又は合成樹脂を成分としたものを単独又は芯鞘構造を成すように複合したものを単独又は混合した繊維をシート化したものが挙げられる。
【００５１】
また、上記バックシート１０２は、吸収体１０３に吸収された排泄物が外へ漏れ出すのを防止できるものを使用することができる。また、透湿性素材とすることにより、装着時のムレを低減させることができ、装着時における不快感を低減させることが可能となる。このような材料としては、例えば、合成樹脂を膜化したシート状フィルム、無機フィラーを充填させて延伸処理を施すことにより得られる通気フィルム、紙、不織布とフィルムを複合したラミネート物、１０〜３０％の開孔を有し孔径が０．１〜０．６ｍｍの範囲で毛細管を吸収性体側に向かうように配置することにより得られる通気性液遮断シート等を使用することができる。
【００５２】
上記吸収体１０３を構成する帯状吸収体１０４ａ，１０４ｂは体液等を吸収して保持する機能を有するもので、嵩高であり、型崩れし難く、化学的刺激が少ないものであることが好ましい。一般にはパルプ、化学パルプ、レーヨン、アセテート、天然コットン、吸収性ポリマー、繊維状吸収性ポリマー、合成繊維等を単独又はこれらを混合した物が使用できる。吸収体１０３の形状および構造は、必要に応じて変えることができるが、吸収体１０３の全吸収量は、吸収性物品としての設計挿入量および所望の用途に対応させる必要がある。また、吸収体１０３のサイズ・吸収能力等は、幼児から大人までの着用者に対応して変動される。
【００５３】
上記伸縮性部材１０６は、天然または合成ゴム製やポリウレタン製の糸状ゴム，平ゴム，リボン状の弾性体、熱収縮性素材、吸水収縮性繊維など、それぞれ伸縮自在の弾性を有するものであれば特に制限されない。
【００５４】
上記中間液透過性シート１０７は、親水性で液透過性を有するものであって、トップシート１０１と同じ素材のものが使用できる。すなわち、メルトブローン、スパンボンド、スルーエアー、ポイントボンド、ニードルパンチ、湿式スパンレース等の製造方法から得られる不織布を単独又はこれらを複合した材料が挙げられる。また、繊維状シートとしては、レーヨン、アセテート、コットン、パルプ又は合成樹脂を成分としたものを単独又は芯鞘構造を成すように複合したものを単独又は混合した繊維をシート化したものが挙げられる。このシート１０７は、吸収体の支持体としての効果を果たし、吸収体に柔軟性と形態安定性の付与するためのものである。また、伸縮性部材１０６との接合強度の付与となる。
【００５５】
以上、本発明に係る吸収性物品の実施形態においては、吸収性物品を構成する吸収体１０３としては、第一の並行帯状吸収体群１０３ａと第二の並行帯状吸収体群１０３ｂとが中間液透過性シート１０７を介して接合されて一体化したものについて説明してきたが、これに限定されるものでなく、例えばこの中間液透過性シート１０７を介さずに、第一の並行帯状吸収体群１０３ａの夫々の帯状吸収体１０４ａと第二の並行帯状吸収体群１０３ｂの夫々の帯状吸収体１０４ｂとを、第一の並行帯状吸収体群１０３ａの夫々の溝１０５ａと第二の並行帯状吸収体群１０３ｂの夫々の溝１０５ｂとが重なり合わずに互い違い部分を形成するようにして接合して一体化してもよい。この場合は、伸縮性部材１０６は第一の並行帯状吸収体群１０３ａの夫々の帯状吸収体１０４ａの裏面側（バックシート１０２に面する側）に接合されることになる。尚、この伸縮性部材との結合は、帯状吸収体１０４ａの表面強度によるが、接合力の点から中間液透過性シート１０７を使用するのが好ましい。
【００５６】
また、本発明に係る吸収性物品の実施形態においては、伸縮性部材１０６として、糸状ゴム，平ゴム，リボン状の弾性体等を使用して第一の並行帯状吸収体１０３ａの帯状吸収体１０４ａに接合するものについて説明してきたが、これに限定されるものでなく、伸縮性部材１０６とバックシート１０２とを一体化したもの、例えばバックシート１０２をポリオレフィン、ポリウレタン、スチレン系エラストマー重合体等の伸縮性フィルムといった伸縮性を有する素材にして、このバックシート１０２を幅方向（図中の中心線Ｌ−Ｌ’方向と直交する方向）に伸長した状態で吸収体１０３と接合部Ｘで接合・一体化してもよい。この場合も、バックシートの収縮によって前述したと同様な波形の蛇腹形状が発現することができ、前述の効果を奏することになる。
【００５７】
以上のように本発明に係る吸収性物品に関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【００５８】
例えば、吸収体の股間部領域を波形の蛇腹形状にして幅狭化する他に、吸収体全体に波形の蛇腹形状を形成した吸収性物品としてもよい。こうすることによって、失禁用パッドや生理用ナプキン等として適用できる。
【００５９】
【発明の効果】
以上に説明したように、本発明によれば、吸収性物品の吸収体は溝を挟んで並列している複数本の帯状吸収体の集合体からなる２つの並行帯状吸収体群から構成し、しかも第一の並行帯状吸収体群と第二の並行帯状吸収体群とは、これらの並行する帯状吸収体は溝どうしが重なり合わないように互い違い部分を形成して、対面するように接合されており、この互い違い部分には、吸収性物品の股間部領域で吸収体とバックシートとの間において、並行する帯状吸収体とほぼ直交する方向に伸縮性部材が伸長状態で配置されているので、伸縮性部材が収縮すると、股間部領域の吸収体は波形の蛇腹形状を形成して、幅狭化される。この幅狭化によって、着用の際に股間部に当て易くて、身体に対するフィット性、特に股間部のフィット性が向上する。また、波形の蛇腹形状により幅方向における伸縮性による変形・動作追従に優れるので、着用していても「よれ」「ねじれ」が生じ難い。更に、各並行帯状吸収体群に形成されている溝により曲げ歪が蓄積されないので、吸収体は柔軟なままで、着用感が損なわれない。
【００６０】
また、波形変形により、股間部領域の吸収体は高目付化するので、単位面積あたりの吸収体表面積が増大化し、単位面積あたりの吸収キャパシティが向上され、体液等の吸収性が向上し、モレが低減される。更に、溝が吸収体の長手方向へ体液等を誘導するチャネルとしての役割を果たし、体液等の拡散性が向上し、長手方向の吸収体利用効率の向上され、これに伴って吸収体は股間部領域の幅方向への吸収負荷が低減されて、モレが一層低減される。
【００６１】
また、第一の並行帯状吸収体群の溝から体液が帯状吸収体の内部に透過すると共に、第二の並行帯状吸収体群の帯状吸収体に誘導されるので、吸収体の厚み方向の利用効率が向上し、大量の体液等が高速で排泄された場合でも、モレが一層低減される。
【図面の簡単な説明】
【図１】発明に係る吸収性物品の実施形態の構成説明図であり、（ａ）は本実施形態の表側を広げたときの状態を示す平面図で、（ｂ）は（ａ）におけるＡ−Ａ’線の断面を示す断面図である。
【図２】図２は、図１のＡ−Ａ’断面において、吸収体と伸縮性部材の相互作用によって本発明の主眼である股間部の波形形状が発現するメカニズムを図示した説明図である。
【図３】本発明の吸収性物品の着用状態における吸収体の形状を模式的に示した図であり、（ａ）は表側を広げたときの状態を示す平面図で、（ｂ）は（ａ）におけるＡ−Ａ’線、Ｂ−Ｂ’線、Ｃ−Ｃ’線の断面を示す断面図である。
【符号の説明】
１００  吸収性物品
１０１  トップシート
１０２  バックシート
１０３  吸収体（接合体）
１０３ａ  第一の並行帯状吸収体群
１０３ｂ  第二の並行帯状吸収体群
１０４ａ，１０４ｂ  帯状吸収体
１０５ａ，１０５ｂ  溝
１０６  伸縮性部材
１０７  中間液透過性シート
ａ  第１の腰領域（腹側）
ｂ  股間部領域
ｃ  第２の腰領域（背側）
ｄ  互い違い部分
Ｘ  接合部
【図１】
2004159820.tif 000003
【図２】
2004159820.tif 000004
【図３】
2004159820.tif 000005